【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
シートに形成された画像を読み取る画像読取部と、
前記画像読取部で画像を読み取るシートを載置する載置部と、
前記載置部に配置され、前記載置部に異なる大きさのシートが混載された際に、混載された全てのシートのシート給送方向と直交する幅方向における一端部を規制する第１規制部と、
前記第１規制部に対向して配置され、前記載置部に混載されたシートのうち前記幅方向におけるシート幅が最も広いシートの前記幅方向における他端部を規制する第２規制部と、
前記載置部に載置されたシートを一枚ずつシート搬送路に給送する分離給送部と、
前記分離給送部よりも前記シート給送方向における下流に設けられ、シートのシート給送方向下流側の端部が突き当てられてシートの斜行を補正し、斜行が補正されたシートを前記画像読取部に給送可能な斜行補正部と、
前記分離給送部よりも前記シート給送方向における上流に設けられ、前記斜行補正部にシートの下流側の端部を突き当てるようにシートを搬送すると共に、前記幅方向における搬送中心が前記シート搬送路の前記幅方向における中心よりも前記第１規制部の側に位置するシート搬送部と、を備える、
ことを特徴とする画像読取装置。
【請求項２】
前記分離給送部は、シート供給ローラを有し、前記分離給送部の前記幅方向における搬送中心が前記シート搬送路の前記幅方向における中央よりも前記第１規制部の側に位置する、
ことを特徴とする請求項１記載の画像読取装置。
【請求項３】
前記分離給送部の前記幅方向における搬送中心と、前記シート搬送部の前記幅方向における搬送中心とが、前記シート給送方向における同一直線上で一致する、
ことを特徴とする請求項２記載の画像読取装置。
【請求項４】
前記斜行補正部は、斜行補正ローラを有し、前記斜行補正部の前記幅方向における搬送中心と、前記シート搬送路の前記幅方向における中央とが、前記シート給送方向における同一直線上で一致する、
ことを特徴とする請求項１乃至３のいずれか１項に記載の画像読取装置。
【請求項５】
前記シート搬送路の前記幅方向における中央の位置は、前記第１規制部と前記第２規制部との中間位置であり、
前記第１規制部及び前記第２規制部は、前記第１規制部から前記シート搬送路の中央までの距離と前記第２規制部から前記シート搬送路の中央までの距離とが等しい状態を維持しながら、前記幅方向に移動する、
ことを特徴とする請求項１乃至４のいずれか１項に記載の画像形成装置。
【請求項６】
シートを載置するシートトレイと、
前記シートトレイに異なる大きさのシートが混載された際に、混載された全てのシートのシート給送方向と直交する幅方向における第１端部を規制する第１規制板と、
前記シートトレイに混載されたシートのうち前記幅方向におけるシート幅が最も広いシートの前記幅方向における前記第１端部とは反対側の第２端部を規制する第２規制板と、
前記シートトレイからシート搬送路に送り込まれたシートのシート給送方向の下流端部が突き当てられ、かつ回転することでこのシートを画像の読み取り位置へと給送する斜行補正ローラと、
前記斜行補正ローラよりも前記シート給送方向上流側に位置し、前記斜行補正ローラに対してシートを突き当てるように搬送する搬送ローラと、を備え、
前記搬送ローラの搬送中心が、前記斜行補正ローラの搬送中心よりも、前記第１規制板側に位置する、
ことを特徴とする画像読取装置。
【請求項７】
前記斜行補正ローラの搬送中心は、前記シート搬送路の前記幅方向における中央と一致する、
ことを特徴とする請求項６に記載の画像読取装置。
【請求項８】
前記搬送ローラよりも前記シート給送方向上流に位置し、前記シートトレイに載置されたシートをシート搬送路に給送するシート供給ローラを備え、
前記シート供給ローラの搬送中心が、前記シート搬送路の前記幅方向における中央よりも、前記第１規制板側に位置する、
ことを特徴とする請求項６又は７に記載の画像読取装置。
【請求項９】
前記シート供給ローラの搬送中心と、前記搬送ローラの搬送中心とが、前記シート給送方向における同一直線上で一致する、
ことを特徴とする請求項８に記載の画像読取装置。
【請求項１０】
前記シート供給ローラよりも前記シート給送方向下流かつ前記搬送ローラよりも前記シート給送方向上流に位置し、前記シート供給ローラにより搬送されてきたシートを分離して搬送する分離搬送ローラを備え、
前記分離搬送ローラの搬送中心と、前記シート供給ローラの搬送中心とが、前記シート給送方向において同一直線上で一致する、
ことを特徴とする請求項８又は９に記載の画像読取装置。
【請求項１１】
前記搬送ローラよりも前記シート給送方向下流かつ前記斜行補正ローラよりも前記シート給送方向上流に位置し、前記シートトレイから前記搬送ローラにより搬送されてきたシートを、シートの前記シート給送方向における下流端部が前記斜行補正ローラに対して突き当たるように搬送する押込みローラを備え、
前記押込みローラの搬送中心と、前記搬送ローラの搬送中心とが、前記シート給送方向において同一直線上で一致する、
ことを特徴とする請求項６乃至１０のいずれか１項に記載の画像読取装置。
【請求項１２】
前記搬送ローラは、
第１搬送ローラ部と、
前記第１搬送ローラ部と前記シート給送方向における位置を同じくし、前記幅方向において前記第１搬送ローラ部よりも前記第１規制板側に配設された第２搬送ローラ部と、
前記第１搬送ローラ部と前記シート給送方向における位置を同じくし、前記幅方向において前記第１搬送ローラ部よりも前記第２規制板側に配設された第３搬送ローラ部と、を備え、
前記第１搬送ローラ部、前記第２搬送ローラ部及び前記第３搬送ローラ部を含む前記搬送ローラの搬送中心が、前記シート搬送路の前記幅方向における中央よりも前記第１規制板の側に位置する、
ことを特徴とする請求項６乃至１１のいずれか１項に記載の画像読取装置。
【請求項１３】
前記斜行補正ローラは、
第１ローラ部と、
前記第１ローラ部と前記シート給送方向における位置を同じくし、前記幅方向において前記第２規制板側に配設された第２ローラ部と、を備え、
前記第１ローラ部及び前記第２ローラ部を含む前記斜行補正ローラの搬送中心が、前記シート搬送路の前記幅方向における中央と一致する、
ことを特徴とする請求項６乃至１２のいずれか１項に記載の画像読取装置。
【請求項１４】
請求項１乃至１３のいずれか１項に記載の画像読取装置と、前記画像読取装置で読み取った画像情報に基づき画像を形成する画像形成部と、を備える、
ことを特徴とする画像形成装置。
【手続補正２】
【補正対象書類名】明細書
【補正対象項目名】０００９
【補正方法】変更
【補正の内容】
【０００９】
本発明は、画像読取装置において、シートに形成された画像を読み取る画像読取部と、
前記画像読取部で画像を読み取るシートを載置する載置部と、前記載置部に配置され、前記載置部に異なる大きさのシートが混載された際に、混載された全てのシートのシート給送方向と直交する幅方向における一端部を規制する第１規制部と、前記第１規制部に対向して配置され、前記載置部に混載されたシートのうち前記幅方向におけるシート幅が最も広いシートの前記幅方向における他端部を規制する第２規制部と、前記載置部に載置されたシートを一枚ずつシート搬送路に給送する分離給送部と、前記分離給送部よりも前記シート給送方向における下流に設けられ、シートのシート給送方向下流側の端部が突き当てられてシートの斜行を補正し、斜行が補正されたシートを前記画像読取部に給送可能な斜行補正部と、前記分離給送部よりも前記シート給送方向における上流に設けられ、前記斜行補正部にシートの下流側の端部を突き当てるようにシートを搬送すると共に、前記幅方向における搬送中心が前記シート搬送路の前記幅方向における中心よりも前記第１規制部の側に位置するシート搬送部と、を備える、ことを特徴とする。
また、本発明は、画像読取装置において、シートを載置するシートトレイと、前記シートトレイに異なる大きさのシートが混載された際に、混載された全てのシートのシート給送方向と直交する幅方向における第１端部を規制する第１規制板と、前記シートトレイに混載されたシートのうち前記幅方向におけるシート幅が最も広いシートの前記幅方向における前記第１端部とは反対側の第２端部を規制する第２規制板と、前記シートトレイからシート搬送路に送り込まれたシートのシート給送方向の下流端部が突き当てられ、かつ回転することでこのシートを画像の読み取り位置へと給送する斜行補正ローラと、前記斜行補正ローラよりも前記シート給送方向上流側に位置し、前記斜行補正ローラに対してシートを突き当てるように搬送する搬送ローラと、を備え、前記搬送ローラの搬送中心が、前記斜行補正ローラの搬送中心よりも、前記第１規制板側に位置する、ことを特徴とする。
【手続補正３】
【補正対象書類名】明細書
【補正対象項目名】００２６
【補正方法】変更
【補正の内容】
【００２６】
また原稿供給ローラ４９の直交方向における配置（配列）の中心は、原稿供給ローラ４９の幅方向における中央にあり、この配置の中心が原稿供給ローラ４９の搬送中心となる。そして原稿供給ローラ４９の搬送中心は、図４に示す直線Ｃ１上に位置しており、シート搬送路４６の直交方向における中心（即ち、ＡＤＦ２７が搬送し得る最大サイズの幅方向における中心である）が位置する直線Ｃ２よりも右規制板４０側に位置している。本実施形態では、シート搬送路４６の直交方向における中心は、右規制板４０と左規制板４１との中間の位置である。また、原稿トレイ３９の原稿Ｄを載置する部分の直交方向における中心もシート搬送路４６の直交方向における中心（以下、単に搬送路４６の中心という）と同じく直線Ｃ２上に位置するように設けられている。右規制板４０から搬送路４６の中心までの距離と左規制板４１から搬送路４６の中心までの距離とが等しい状態を維持しながら、右規制板４０と左規制板４１とは幅方向に移動する。
【手続補正４】
【補正対象書類名】明細書
【補正対象項目名】００４８
【補正方法】変更
【補正の内容】
【００４８】
しかし、図６に示すように、載置された原稿Ｄ４の幅方向における中心Ｃ４が直線Ｃ１よりも右規制板４０側に位置する場合には、給送、分離時に時計回り方向（矢印Ｒ２）に回転させる回転モーメントが原稿Ｄ４に生じる。このように、原稿Ｄ４に対して回転モーメントが生じると、原稿Ｄ４の一端部は、右規制板４０によって規制されているが、その他端部は自由端状態であるため、原稿Ｄ４は時計回り方向に回転し、斜行して給送される。しかし、引抜きローラ５６及び分離搬送ローラ５１や原稿供給ローラ４９の搬送中心が原稿トレイの中心から右規制板４０にオフセットされて配置されている。そのため、例えば、引抜きローラ５６、分離搬送ローラ５１、及び原稿供給ローラ４９の搬送中心が直線Ｃ２上にある場合と比べて原稿Ｄ４に生じる回転モーメントは大きくはない。
【手続補正５】
【補正対象書類名】明細書
【補正対象項目名】００７１
【補正方法】変更
【補正の内容】
【００７１】
１・・・画像形成装置：３，３Ａ・・・画像読取装置：３１・・・画像読取部：３９・・・載置部，シートトレイ（原稿トレイ）：４０・・・第１規制部（右規制板）：４１・・・第２規制部（左規制板）：４９，５１・・・分離給送部、給送回転体（原稿供給ローラ，分離搬送ローラ）：５６，１００・・・シート搬送部（引抜きローラ対、押込みローラ）：５６ａ，５６ｂ，５６ｃ・・・搬送回転体，第１〜第３搬送ローラ部（ローラ）：６０・・・レジスト部（レジストレーションローラ対）：６１・・・斜行補正ローラ（レジストレーションローラ）：６１ａ，６１ｂ・・・第１〜第３ローラ部（ローラ）：Ｐ・・・シート